(57)【要約】【課題】オート／ローカルを切り替える機能がない操作スイッチを使用しながら、オート／ローカルを切り替える機能を備えた電動ブラインドの制御装置を提供する。【解決手段】多数の電動ブラインド２ａ，２ｂ，３ａ，３ｂに対し、該電動ブラインドを一括制御する指令信号を出力する中央制御部５と、電動ブラインドに操作信号を出力するローカルスイッチ６，７と、各電動ブラインドに備えられ、指令信号に基づくオート制御モードと、操作信号に基づくローカル制御モードとで当該電動ブラインドの動作を制御する制御部４とを備えた電動ブラインドの制御装置において、制御部４は、ローカルスイッチ６，７の操作信号を生成するスイッチの操作により、オート制御モードとローカル制御モードとを切り替える機能を備えた。【選択図】        図１
2004285604.tif 000002
【特許請求の範囲】
【請求項１】
多数の電動ブラインドに対し、該電動ブラインドを一括制御する指令信号を出力する中央制御部と、
前記電動ブラインドに操作信号を出力するローカルスイッチと、
前記各電動ブラインドに備えられ、前記指令信号に基づくオート制御モードと、前記操作信号に基づくローカル制御モードとで当該電動ブラインドの動作を制御する制御部と
を備えた電動ブラインドの制御装置において、
前記制御部は、前記ローカルスイッチの前記操作信号を生成するスイッチの操作により、前記オート制御モードとローカル制御モードとを切り替える機能を備えたことを特徴とする電動ブラインドの制御装置。
【請求項２】
前記制御部は、前記ローカルスイッチの操作に基づいてローカル制御モードを選択し、前記ローカルスイッチのあらかじめ設定された手順に基づく操作に基づいてオート制御モードを選択することを特徴とする請求項１記載の電動ブラインドの制御装置。
【請求項３】
前記制御部は、前記ローカルスイッチの停止スイッチが所定時間内に所定回数連続して操作されたとき、オート制御モードを選択することを特徴とする請求項２記載の電動ブラインドの制御装置。
【請求項４】
前記ローカルスイッチは、電動ブラインドを単独で操作する単独スイッチまたは複数の電動ブラインドを操作する集合スイッチであることを特徴とする請求項１乃至３のいずれかに記載の電動ブラインドの制御装置。
【発明の詳細な説明】
【０００１】
【発明の属する技術分野】
この発明は、電動ブラインドの制御装置に関するものである。
【０００２】
【従来の技術】
従来、ビルの複数のフロアにそれぞれ配設された電動ブラインドの昇降動作を一括して制御可能とした制御装置が実用化されている。このような電動ブラインドの制御装置では、中央制御装置からの指令に基づいて、すべての電動ブラインドが一括制御される。また、各電動ブラインド毎に設けられた操作スイッチあるいは複数の電動ブラインドで構成されるグループ毎に設けられた操作スイッチで各ブラインドが制御される。
【０００３】
特許文献１には、上記のような電動ブラインドの制御装置が開示されている。
【０００４】
【特許文献１】
特開平１０−３７６３３
【０００５】
【発明が解決しようとする課題】
上記のような電動ブラインドの制御装置において、中央制御装置に基づく一括制御（オート制御）と、操作スイッチに基づく個別制御（ローカル制御）とを可能としたタイプでは、操作スイッチにオート／ローカルを手動で切り替えるスイッチが設けられている。
【０００６】
従って、オート制御を選択すれば、中央制御装置から出力される指令に基づいて、各電動ブラインドが一括制御され、ローカル制御を選択すれば、中央制御装置からの指令を受け付けることなく、操作スイッチの操作に基づく制御のみが可能となる。
【０００７】
また、操作スイッチにオート／ローカルを切り替える機能がない場合には、中央制御装置からの指令及び操作スイッチの操作のいずれでもブラインドの動作が制御される。
【０００８】
そこで、オート／ローカルを切り替える機能がない操作スイッチを備えた電動ブラインドをオート／ローカルを切り替える機能を備えた電動ブラインドに変更する場合には、スイッチを変更し、切替え信号を中央制御装置に出力する配線を新たに設ける必要がある。
【０００９】
従って、オート／ローカルを切り替える機能がない操作スイッチを備えた電動ブラインドをオート／ローカルを切り替える機能を備えた電動ブラインドに変更するための作業が煩雑となるという問題点がある。
【００１０】
この発明の目的は、オート／ローカルを切り替える機能がない操作スイッチを使用しながら、オート／ローカルを切り替える機能を備えた電動ブラインドの制御装置を提供することにある。
【００１１】
【課題を解決するための手段】
請求項１では、多数の電動ブラインドに対し、該電動ブラインドを一括制御する指令信号を出力する中央制御部と、前記電動ブラインドに操作信号を出力するローカルスイッチと、前記各電動ブラインドに備えられ、前記指令信号に基づくオート制御モードと、前記操作信号に基づくローカル制御モードとで当該電動ブラインドの動作を制御する制御部とを備えた電動ブラインドの制御装置において、前記制御部は、前記ローカルスイッチの前記操作信号を生成するスイッチの操作により、前記オート制御モードとローカル制御モードとを切り替える機能を備えた。
【００１２】
請求項２では、前記制御部は、前記ローカルスイッチの操作に基づいてローカル制御モードを選択し、前記ローカルスイッチのあらかじめ設定された手順に基づく操作に基づいてオート制御モードを選択する。
【００１３】
請求項３では、前記制御部は、前記ローカルスイッチの停止スイッチが所定時間内に所定回数連続して操作されたとき、オート制御モードを選択する。
請求項４では、前記ローカルスイッチは、電動ブラインドを単独で操作する単独スイッチまたは複数の電動ブラインドを操作する集合スイッチである。
【００１４】
【発明の実施の形態】
以下、この発明を具体化した一実施の形態を図面に従って説明する。図１に示す電動ブラインドの制御装置は、建物の各フロア毎にフロア制御盤１ａ，１ｂが設置される。
【００１５】
前記フロア制御盤１ａには、当該フロアに設置される電動横型ブラインド２ａ、電動ロールブラインド３ａ等が接続される。また、前記フロア制御盤１ｂには、当該フロアに設置される電動横型ブラインド２ｂ、電動ロールブラインド３ｂ等が接続される。
【００１６】
前記横型ブラインド２ａ，２ｂ及びロールブラインド３ａ，３ｂには、制御部４がそれぞれ備えられ、各制御部４の制御に基づいて各ブラインドが動作する。
前記フロア制御盤１ａ，１ｂには、中央制御装置として動作するパソコン５が接続される。そして、オート制御動作時には、パソコン５から出力される指令信号がフロア制御盤１ａ，１ｂを介して各制御部４に出力され、その指令信号に基づいて、各ブラインドが一括制御される。
【００１７】
前記横型ブラインド２ａの制御部４には、単独スイッチ６が接続され、前記ロールブラインド３ａの制御部４には、集合スイッチ７が接続されている。単独スイッチ６は、横型ブラインド２ａのみを操作するためのローカルスイッチであり、集合スイッチ７はロールブラインド３ａが含まれるグループを構成する複数のブラインドを一括して操作するためのローカルスイッチである。
【００１８】
前記横型ブラインド２ａあるいはロールブラインド３ａの制御部４の電気的構成を図２に示す。電源部８には、外部から商用電源が供給され、電源部８から制御部４内の各部に電源が供給される。
【００１９】
通信部９は、前記フロア制御盤１ａ，１ｂを介して前記パソコン５から出力される指令信号を受信して、演算部１０に出力する。また、通信部９は演算部１０から出力されるブラインドの状態をパソコン５に出力する。
【００２０】
スイッチ入力部１１には、前記単独スイッチ６あるいは集合スイッチ７が接続され、各スイッチの操作信号を演算部１０に出力する。前記演算部１０は、あらかじめ設定されているプログラムに基づいて動作する。そして、通信部９から入力される指令信号あるいは単独スイッチ６、集合スイッチ７から出力される操作信号に基づいて、各ブラインドの制御量を演算し、その演算結果をモータ制御部１２に制御信号として出力する。
【００２１】
モータ制御部１２は、演算部１０から出力される制御信号に基づいて、各ブラインドを駆動するモータに駆動信号を出力する。
図３は、前記単独スイッチ６のスイッチパネルを示す。パネル面には、上昇スイッチ１３、下降スイッチ１４及び停止スイッチ１５と、角度調節スイッチ１６，１７が設けられる。
【００２２】
そして、上昇スイッチ１３を押圧すると、横型ブラインド２ａのスラットが引き上げられ、下降スイッチ１４を押圧すると、スラットが下降する。また、停止スイッチ１５を押圧すると、スラットの昇降動作が停止される。角度調節スイッチ１６，１７を押圧すると、スラットがいずれかの方向に回動されて、角度調節される。
【００２３】
集合スイッチ７は、ロールブラインドを昇降操作するものであり、前記単独スイッチ６から角度調節スイッチ１６，１７を省略した構成となる。
前記演算部１０は、オート制御とローカル制御とを自動的に切り替える機能を備える。その動作を図４に従って説明すると、演算部１０はその動作時に、例えば単独スイッチ６であるローカルスイッチの操作を待つ状態となる。すなわち、ローカルスイッチのいずれかのスイッチが操作されたか否か（ステップ１）と、停止スイッチ１５が所定時間内に５回連続で押圧されたか否か（ステップ２）を検出する状態を維持している。
【００２４】
ステップ１において、いずれかのスイッチが押圧されると、ステップ３に移行し、オート制御モードであるか否かを判別する。オート制御モードである場合には、ローカルモードに変更して（ステップ４）、ステップ１に復帰する。
【００２５】
また、既にローカル制御モードで動作している場合には、ステップ２に移行する。
ステップ２において、停止スイッチ１５が所定時間内に５回連続で押圧されると、ステップ５に移行し、ローカル制御モードであるか否かを判別する。そして、ローカル制御モードである場合には、ステップ６に移行して、オート制御モードに変更し、ステップ１に復帰する。また、既にオート制御モードで動作している場合には、ステップ１に復帰する。
【００２６】
上記のような制御部４及び単独スイッチ６を備えた横型ブラインド２ａの動作を説明する。
単独スイッチ６のいずれかのスイッチが押圧されると、自動的にローカル制御モードとなる。この状態では、単独スイッチ６の操作に基づいてのみスラットの昇降操作あるいは角度調節操作が可能となる。パソコン５からの指令信号は、演算部１０では受け付けられない。
【００２７】
また、停止スイッチ１５が所定時間内に５回連続で押圧されると、オート制御モードに切り替えられる。この状態では、パソコンからの指令信号に基づいてスラットの昇降操作あるいは角度調節操作が可能となる。
【００２８】
また、ロールブラインド３ａの制御部４は、集合スイッチ７からの操作信号に基づいて、同様な切替え動作を行う。
上記のような電動ブラインドの制御装置では、次に示す作用効果を得ることができる。
（１）ローカルスイッチを操作することにより、自動的にローカル制御モードに切り替えることができる。従って、ローカルスイッチを操作することにより、ブラインドの動作を制御することができる。
（２）ローカルスイッチの停止スイッチ１５を所定時間内に５回連続で押圧することにより、オート制御モードに切り替えることができる。従って、パソコン５の指令信号に基づいてブラインドの動作を制御することができる。
（３）オート制御モードとローカル制御モードとの切替えスイッチを持たないローカルスイッチを使用しながら、当該ローカルスイッチの操作により、オート制御モードとローカル制御モードとの切替え操作を行うことができる。従って、オート制御モードとローカル制御モードとの切替え機能を追加する場合にも、ローカルスイッチの変更及び配線の追加を必要とすることはない。
（４）オート制御モードとローカル制御モードとの切替え操作を、簡便な操作で行うことができる。
【００２９】
上記実施の形態は、次に示すように変更することもできる。
・ローカル制御モードからオート制御モードへの切替えは、停止スイッチを所定時間内に５回連続で押圧する操作に限定されるものではない。５回以外の連続操作あるいは他のスイッチの操作により切り替えるようにしてもよい。
【００３０】
【発明の効果】
以上詳述したように、この発明は、オート／ローカルを切り替える機能がない操作スイッチを使用しながら、オート／ローカルを切り替える機能を備えた電動ブラインドの制御装置を提供することができる。
【図面の簡単な説明】
【図１】電動ブラインドの制御装置の電気的構成を示すブロック図である。
【図２】制御部の構成を示すブロック図である。
【図３】単独スイッチを示す正面図である。
【図４】演算部の動作を示すフローチャート図である。
【符号の説明】
２ａ，２ｂ，３ａ，３ｂ          電動ブラインド
４          制御部
５          中央制御部（パソコン）
６          ローカルスイッチ（単独スイッチ）
７          ローカルスイッチ（集合スイッチ）
【図１】
2004285604.tif 000003
【図２】
2004285604.tif 000004
【図３】
2004285604.tif 000005
【図４】
2004285604.tif 000006